(57)【要約】      （修正有）【課題】より効率的な運用が可能な散薬分包機及び散薬分包システムを提供する。【解決手段】散薬を収容し排出口から放出する散薬収容容器１００と、散薬収容容器を載置しそこから散薬を放出する第１の散薬放出部と、放出された散薬を一時保管する散薬一時保管容器３００と、散薬一時保管容器を載置し散薬一時保管容器へ放出された散薬の重量を計測する散薬計量部と、計量済みの散薬の入った散薬一時保管容器を載置しその排出口から散薬を放出する第２の散薬放出部と、第２の散薬放出部から放出された散薬を包装する散薬包装装置と、散薬収容容器と散薬一時保管容器との両方を載置可能な散薬容器棚と、散薬容器棚・第１の散薬放出部・第２の散薬放出部・散薬計量部の相互間で、散薬収容容器または散薬一時保管容器を移送可能な散薬容器移送装置と、処方指示リストに基づいて散薬の分包の手順を制御する散薬分包制御部とを有する散薬分包機及び散薬分包システム。【選択図】図１
2020028513.tif 000002
【特許請求の範囲】
【請求項１】
散薬を収容し、それを排出口から放出できる散薬収容容器と、
前記散薬収容容器を載置し、そこから散薬を放出できる第１の散薬放出部と、
前記第１の散薬放出部から放出された散薬を一時保管できる散薬一時保管容器と、
前記散薬一時保管容器を載置し、前記散薬一時保管容器へ放出された散薬の重量を計測できる散薬計量部と、
計量済みの散薬の入った前記散薬一時保管容器を載置し、その排出口から散薬を放出できる第２の散薬放出部と、
前記第２の散薬放出部から放出された散薬を包装する散薬包装装置と、
前記散薬収容容器と前記散薬一時保管容器との両方を載置可能な散薬容器棚と、
前記散薬容器棚、前記第１の散薬放出部、前記第２の散薬放出部、及び前記散薬計量部の相互間で、前記散薬収容容器または前記散薬一時保管容器を移送可能な散薬容器移送装置と、
外部から提供される、あるいは、内部で生成される処方指示リストに基づいて散薬の分包の手順を制御する散薬分包制御部と
を有する散薬分包機。
【請求項２】
前記散薬分包制御部が、前記処方指示リストに同一散薬が存在する場合は、前記同一散薬を優先して処理するように制御することを特徴とする請求項１に記載の散薬分包機。
【請求項３】
前記散薬包装装置に、前記散薬一時保管容器を洗浄する散薬容器洗浄部を有し、
前記散薬分包制御部が、前記第２の散薬放出部において放出を完了した前記散薬一時保管容器を、前記処方指示リストに基づいて、前記散薬容器洗浄部にて洗浄を行うかどうかを決定することを特徴とする請求項１に記載の散薬分包機。
【請求項４】
請求項１に記載の散薬分包機と、
散薬を含む薬剤の処方の管理を行う処方管理装置と
を有し、前記処方管理装置において、前記処方指示リストを作成することを特徴とする散薬分包システム。
【発明の詳細な説明】
【技術分野】
【０００１】
本技術は、散薬を配分して分包する散薬分包機に関する。特に個別の散薬を収容したカセットを複数用意し、これを棚に装填しておくだけで自動的に必要分の散薬を分包装置側に移送して、処方箋に従って、全自動で分包を可能とし、かつ、より効率的な運用を可能とした散薬分包機及び散薬分包システムに関する。
【背景技術】
【０００２】
総合病院など多くの診療科や病棟をかかえる病院では、その調剤を効率よく行うために、各診療科や病棟と院内薬局との間を回線で接続して、各診療科や病棟のパソコンから、必要な薬剤処方のデータを入力して、これが薬局側のパソコンが受信して、その処方の発生順の処方順位に従って、散薬分包機に所定の処方の実行を指示するようになっている。
【０００３】
例えば、特許文献１には、中央演算処理部が、散薬瓶などの収納場所、装着場所を管理するとともに、処方表示部に表示された処方データの包装順序にしたがって、散薬処理機構および包装機構を駆動する技術思想が開示されている。
【０００４】
ここで、全自動型の散薬分包機は、使用する容器類を各位置に移送する移送機構が利用されているが、そのためには移送の時間が必要となる。
【０００５】
例えば、Ａ散薬の処方が完了した場合は、Ａ散薬の散薬収容容器は散薬容器棚に移送し、そこで使った散薬一時保管容器（計量カップ）は、次に他の散薬に使用するために洗浄装置に移送して洗浄後容器棚に戻すように制御される。これらの一連の移送は３軸直行電動スライダなどが行うが、容器類は同時に１個しか保持できないので、一連の動作を順番に行う必要があって、時間を要するものである。
【０００６】
そのために、当該処方が完了したときに、次の処方がまたＡ薬であった場合には、容器を元に戻さずに、そのまま次の分の計量を行った方が時間の削減になる場合がある。
【０００７】
処方動作開始前に、発生している処方箋の順番待ちリストから、同一散薬の処方がある場合には、それを連続して実行するように散薬分包機が順番を組み替えすることにより、効率化が可能となる。
【０００８】
更に、散薬分包機が既に処方動作を開始した後に、所定のタイミングで現時点での処方の順番待ちリストを参照し、その情報によって動作順位や動作パターンを変えるようにきめ細かく制御することができれば、より効率化が図れる。
【０００９】
このような、より効率的な運用が可能な全自動型の散薬分包機あるいは散薬分包システムが未だ実用化されていないことが大きな問題点となっている。
【先行技術文献】
【特許文献】
【００１０】
【特許文献１】特開２００１−２５３４０３号公報  湯山
【発明の概要】
【発明が解決しようとする課題】
【００１１】
解決しようとする課題は、上記問題に鑑み、全自動で分包処理を実行する際に、より効率的な運用が可能な散薬分包機及び散薬分包システムを提供することである。
【課題を解決するための手段】
【００１２】
上記課題を解決するために、本発明の第１の態様は、散薬分包機であって、
−散薬を収容し、それを排出口から放出できる散薬収容容器と、
−前記散薬収容容器を載置し、そこから散薬を放出できる第１の散薬放出部と、
−前記第１の散薬放出部から放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬収容容器と前記散薬一時保管容器との両方を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置と、
−外部から提供される、あるいは、内部で生成される処方指示リストに基づいて散薬の分包の手順を制御する散薬分包制御部と
を有することを特徴とする。
【００１３】
このようにすると、散薬放出部を２段階に設け、途中に散薬一時保管容器を設けるようにしたから、第１の散薬放出部から放出され、散薬計量部で正しく計量できた場合には、第２の散薬放出部から計量済みの散薬を散薬包装装置へと受け渡し、万一、計量ミスが発生した場合には、散薬一時保管容器を散薬計量部から散薬包装装置に移送する前に、その散薬一時保管容器を散薬容器移送装置により取り除いて散薬容器棚へ移送することができ、計量ミスによる損害を最小限にすることができる。
【００１４】
また、その上に、散薬の処方指示リスト、すなわち、処方の発生順になった散薬の個別の処方情報などが提供された場合に、そのリストに基づき、散薬分包制御部が、散薬分包の手順、例えば、各部の動作、あるいは処方の順番などを制御するから、同一の散薬が処方指示リストにある場合などは、分包の動作を簡略化し、処理時間を短縮するなど、処理の効率化の効果を生じる。
【００１５】
本発明の第２の態様は、本発明の第１の態様において、前記散薬分包制御部が、前記処方指示リストに同一散薬が存在する場合は、前記同一散薬を優先して処理するように制御することを特徴とする。
【００１６】
ここで、優先するとは、連続して処理すること、あるいは、処方順番を繰り上げて処理することを含むものとする。
【００１７】
例えば、通常は処方指示リストの順番に（処方情報の発生順に）処理しているが、その処理中に、処方指示リストを参照あるいは照合して、同一の散薬が連続して存在する、あるいは、連続でなくても処方指示リスト中に存在することが判明した場合は、処方指示リストの処方順位を変更することも含めて、連続して分包処理を行うようにしてもよい。
【００１８】
また、処方指示リストを参照あるいは照合するタイミングは、ある散薬の分包処理を開始した段階だけでなく、ある散薬の計量が完了した時期や、更に処理が進行して散薬の包装処理が開始されてからでもよい。
【００１９】
その間に、同一散薬が処方指示リストに追加される可能性があり、その場合に、連続して分包処理を実行するか、それが間に合わなくても、同一散薬があることを考慮して、処方の順番を繰り上げたり、容器の移送の運用を変更したりするようにしてもよい。これも同一散薬処理を優先することに含まれる。
【００２０】
このようにすると、具体的に、分包動作の簡略化や処理時間短縮の効果が得られる。
【００２１】
本発明の第３の態様は、本発明の第１の態様において、更に、
−前記散薬包装装置に、前記散薬一時保管容器を洗浄する散薬容器洗浄部を有し、
前記散薬分包制御部が、前記第２の散薬放出部において放出を完了した前記散薬一時保管容器を、前記処方指示リストに基づいて、前記散薬容器洗浄部にて洗浄を行うかどうかを決定することを特徴とする。
【００２２】
すなわち、ある散薬の処方の処理の間に、処方指示リストを参照または照合して、当該散薬と同じ散薬が処方されている場合は、散薬一時保管容器を洗浄せずに、散薬容器棚へ移送するなどの処置を行う。
【００２３】
なお、通常の処理では、ある散薬の処方が完了した時点で、処方指示リストに当該散薬が処方されていない場合は、当該散薬一時保管容器は散薬容器洗浄部において洗浄された後に、散薬容器棚に戻され、別の散薬の分包に供するようになっている。
【００２４】
本発明の第４の態様は、散薬分包システムであって、
−本発明の第１の態様の散薬分包機と、
−散薬を含む薬剤の処方の管理を行う処方管理装置と
を有し、前記処方管理装置において、前記処方指示リストを作成することを特徴とする。
【００２５】
ここで、処方管理装置は、病院全体の薬剤の処方を管理するものであり、各診療科や病棟に設けられる処方指示に関する装置と無線又は有線で接続され情報交換が可能であることが望ましく、また、病院全体の、散薬を含む薬剤の在庫データベースなどとも接続されていることが望ましい。
【００２６】
これによれば、散薬分包機に提供される処方指示リストを、外部の高度な処理が可能な処方管理装置が作成するから、全体のシステムとして、効率的に運用することができる。
【発明の効果】
【００２７】
本発明によれば、全自動で分包処理を実行する際に、散薬分包制御部が、処方指示リストに基づき、散薬の分包処理の手順を制御するようにしたから、より効率的な運用が可能な散薬分包機及び散薬分包システムを提供することができる。
【図面の簡単な説明】
【００２８】
【図１】本発明の一実施形態の散薬分包機の機能ブロック図である。
【図２】本発明の一実施形態の散薬分包機の正面図（カバー付き）である。
【図３】本発明の一実施形態の散薬分包機の正面扉を開いた状態の正面図である。
【図４】本発明の一実施形態の散薬分包機の内部構造を示す正面断面図である。
【図５】本発明の一実施形態の散薬分包機の内部構造を示す側面断面図である。
【図６】本発明の一実施形態の散薬分包機の散薬収容容器の斜視図である。
【図７】本発明の一実施形態の散薬分包機の第１の散薬放出部の側断面図である。
【図８】本発明の一実施形態の散薬分包機の散薬一時保管容器の斜視図である。
【図９】本発明の一実施形態の散薬分包機の散薬計量部の斜視図である。
【図１０】本発明の一実施形態の散薬分包機の第２の散薬放出部の側断面図である。
【図１１】本発明の一実施形態の散薬分包機の散薬包装装置の一部の斜視図である。
【図１２】本発明の一実施形態の散薬分包機の移送の動作を示す斜視図である。
【図１３】本発明の一実施形態の散薬分包機の移送の別の動作を示す斜視図である。
【図１４】本発明の一実施形態の散薬分包機の移送の別の動作を示す斜視図である。
【図１５】本発明の一実施形態の散薬分包システムの機能ブロック図である。
【図１６】本発明の一実施形態の散薬分包機に用いられる処方指示リストの例を示す図である。
【図１７】本発明の一実施形態の散薬分包機の動作のフローチャートその１である。
【図１８】本発明の一実施形態の散薬分包機の動作のフローチャートその２である。
【図１９】本発明の一実施形態の散薬分包機の動作のフローチャートその３である。
【発明を実施するための形態】
【００２９】
以下、図面を参照して本発明の実施形態について説明する。なお、以下では本発明の目的を達成するための説明に必要な範囲を模式的に示し、本発明の該当部分の説明に必要な範囲を主に説明することとし、説明を省略する部分は公知技術によるものとする。
【００３０】
図１は本発明の一実施形態に係る散薬分包機の機能ブロック図であり、図２は本発明の一実施形態に係る散薬分包機の扉を閉めた状態の正面図であり、図３は本発明の一実施形態に係る散薬分包機の扉を開いた状態の正面図であり、図４は本発明の一実施形態に係る散薬分包機の奥側部分の立面図であり、図５は本発明の一実施形態に係る散薬分包機の側面図である。
【００３１】
散薬分包機１は、収容された散薬を収容し、それを排出口から放出できる散薬収容容器１００と、散薬収容容器１００を載置し、そこから散薬を放出できる第１の散薬放出部２００と、第１の散薬放出部２００から放出された散薬を一時保管できる散薬一時保管容器３００と、散薬一時保管容器３００を載置し、散薬一時保管容器３００へ放出された散薬の重量を計測できる散薬計量部４００と、計量済みの散薬の入った散薬一時保管容器３００を載置し、その排出口から散薬を放出できる第２の散薬放出部５００と、第２の散薬放出部５００から放出された散薬を包装する散薬包装装置６００と、散薬収容容器１００と散薬一時保管容器３００との両方を載置可能な散薬容器棚７００と、散薬容器棚７００、第１の散薬放出部２００、第２の散薬放出部５００、及び散薬計量部４００の相互間で、散薬収容容器１００または散薬一時保管容器３００を移送可能な散薬容器移送装置８００、散薬分包機の各部の制御を行う散薬分包制御部１０を有する。
【００３２】
なお、散薬包装装置６００は、散薬一時保管容器３００を洗浄する散薬容器洗浄部９００を有していてもよい。
【００３３】
なお、ここで、第１の散薬放出部２００、散薬計量部４００、第２の散薬放出部５００、散薬容器棚７００、散薬容器移送装置８００、及び、散薬分包制御部１０の一部を総称して散薬計量放出装置（あるいは、散薬準備装置）としてもよい。
【００３４】
但し、これらの装置の切り分けは、これに限定されず、同等の機能を発揮できればどのような切り分けであってもよい。
【００３５】
以下に各構成要素につき、説明する。
【００３６】
＜散薬収容容器１００＞
図６は本発明の一実施形態に係る散薬分包機１の散薬収容容器１００の斜視図であり、図６（ａ）は上蓋が閉じた状態、図６（ｂ）は上蓋が開いた状態を示す。
【００３７】
散薬収容容器１００の本体１０１は、略直方体の、底面を有する箱型形状で、長手方向を略水平方向として置かれている。この姿勢を横置きとする。
【００３８】
散薬収容容器１００は、本体１０１の上部に上蓋１０２、本体１０１の下部側面に散薬の排出口（図示せず）、排出口の出口部分に排出口を遮蔽する遮蔽部（遮蔽板）１０３を有する。遮蔽部１０３は機械に装着されると開放されるようになっており、排出口から散薬が放出されるようになっている。
【００３９】
更に、散薬収容容器１００は、後述する散薬容器移送装置８００による移動のために、遮蔽部１０３側の面の上部に一対の装着ガイド穴１０４ａ、１０４ｂ、その下方に磁性体である鉄板１０５、底面外側に他の機器に載置され固定されるための鉄板１０６、及び同じく底面外側に種々の情報を保持できるＲＦＩＤタグ１０７を有している。
【００４０】
＜第１の散薬放出部２００＞
図７は本発明の一実施形態に係る散薬分包機１の第１の散薬放出部２００の側断面図である。第１の散薬放出部２００は、主に、散薬収容容器１００（または散薬一時保管容器３００）を載置可能な容器載置台２１０と、容器載置台２１０に載置された容器を振動させて散薬を放出する振動台２２０とから構成される。
【００４１】
振動台２２０は、固定板２２１、固定板２２１の上に、複数のコイルスプリング２２２を介して設置される中間台２２３を有し、中間台２２３の上に複数の板バネ２２４を介して、容器載置台２１０が取り付けられる。
【００４２】
中間台２２３には第１の電磁石２２５が、容器載置台２１０には磁性を有する鉄材２１１が、それぞれ相対して僅かな間隙を保持して配置されている。
【００４３】
第２の電磁石２１３は、容器載置台２１０の上面に着磁面を露出させて設けられ、散薬収容容器１００（または散薬一時保管容器３００）の底面に取付けられた鉄板１０６（３０６）を吸着することで、容器載置台２１０に散薬収容容器１００（または散薬一時保管容器３００）を載置固定することができる。
【００４４】
更に、直動型電磁ソレノイド２１４が容器載置台２１０の下面に取付けられており、散薬収容容器１００（または散薬一時保管容器３００）の遮蔽部１０３（３０３）を開閉する機能を有する。
【００４５】
また、ＲＦＩＤリーダ・ライタ２１５（後に図１３に示す）が容器載置台２１０の上面に設置され、散薬収容容器１００（または散薬一時保管容器３００）の底面のＲＦＩＤタグ１０７（３０７）との間で、情報の読み取り、書き込みができるようになっている。
【００４６】
＜散薬一時保管容器３００＞
図８は本発明の一実施形態に係る散薬分包機１の散薬一時保管容器３００の斜視図である。散薬一時保管容器３００は、実質的には、散薬収容装置１００から上蓋１０２を取り外したものであり、散薬容器棚７００などに載置される部分の形状が同一である。
【００４７】
そのようにすれば、容器の製造コストも低廉となり、機械の設計も単純化される。
【００４８】
図８（ａ）は底部が下側の通常の状態、図８（ｂ）は上下１８０度回転させて底部が上側になった状態を示す。
【００４９】
図に示すように、散薬一時保管容器３００の本体３０１の下部側面に散薬の排出口（図示せず）、排出口の出口部分に排出口を遮蔽する遮蔽部（遮蔽板）３０３を有する。遮蔽部３０３は機械に装着されると開放されるようになっており、排出口から散薬が放出されるようになっている。
【００５０】
更に、散薬一時保管容器３００は、後述する散薬容器移送装置８００による移動のために、遮蔽部３０３側の面の上部に一対の装着ガイド穴３０４ａ、３０４ｂ、その下方に磁性体である鉄板３０５、底面外側に他の機器に載置され固定されるための鉄板３０６、及び同じく底面外側に種々の情報を記憶できるＲＦＩＤタグ３０７を有している。
【００５１】
本体３０１の上部には、上蓋を有せず、大きく開口しており、落下してくる散薬を受け取ることができるような構造となっている。
【００５２】
なお、散薬収容容器１００と散薬一時保管容器３００とは、全体形状がほぼ同一で、上蓋１０２の有無のみの相違としたが、散薬容器棚７００などに載置される部分の形状さえ同一であれば、高さ、幅、奥行や、その他の外観が異なってもよい。各々の機能に特化した設計により、利便性が増す場合もあり得る。
【００５３】
あるいは、散薬収容容器１００と散薬一時保管容器３００とを、全く同一の構造としてもよい。両方とも上蓋ありとする、あるいは両方とも上蓋なしとするとして、周辺の構造を変更して、あるいは追加の機構を設けて使用してもよい。このようにすると、運用が容易になり、散薬容器のコストが低廉になるなどの効果が期待できる。
【００５４】
＜散薬計量部４００＞
図９は本発明の一実施形態に係る散薬分包機１の散薬計量部４００の斜視図である。上部に散薬の放出ができる第１の散薬放出部２００を固定結合する散薬放出部保持部４０１を有し、その下に散薬一時保管容器３００を載置できる散薬一時保管容器載置台４０２、散薬一時保管容器載置台４０２の上の重量を計測できる台はかり４０３から構成される。
【００５５】
なお、散薬放出部保持部４０１は、不要とすることも可能である。すなわち、散薬計量部４００に保持させなくても、周囲の筐体などから部材を用いて保持するようにしてもよい。
【００５６】
散薬一時保管容器置台４０２は、後述する散薬容器棚７００の容器載置台７０５と略同一の構成である。このようにすることで、散薬一時保管容器３００が、散薬容器移送装置８００によって移送されて載置されることができる。
【００５７】
台はかり４０３は、散薬一時保管容器置台４０２上の散薬一時保管容器３００及び内蔵する散薬を含めた全重量が計測可能であって、散薬一時保管容器３００に散薬が落下していくと、重量の値が増加していき、その増加分が散薬一時保管容器３００内の散薬そのものの重量となる。よってこの重量があらかじめ処方箋に従って定められた重量となるところで、散薬収容容器１００からの散薬の放出、落下を停止すれば、散薬一時保管容器３００には、指定された重量の散薬が収容できることになる。
【００５８】
なお、散薬を計量できる機構として台はかりを例示したが、これに限定されず、重量を計測できるものであれば、ロードセルなどであってもよい。
【００５９】
また、少し構成が異なることになるが、散薬を計量できる機構を第１の散薬放出部２００を支持する部分に設けてもよい。例えば、第１の散薬放出部２００全体の重量を測定できる機構を散薬計量部３７に（または第１の散薬放出部２００内部に）設け、放出された散薬の重量を、差分（減じた重量）から算出するようにしてもよい。
【００６０】
しかしながら、この構成ではあくまでも放出された散薬の重量が算出されるだけであって、放出の過程で、散薬一時保管容器３００に収容されずに、筐体内の空気中に飛散したり、別の部位に付着したりした散薬の微小な減量は知ることができない。従って、特に、新生児や幼児等への投薬の場合に精密な計量が要求される場合は、先に述べた散薬一時保管容器３００側での計量の方が実用上は好適である。
【００６１】
＜第２の散薬放出部５００＞
第２の散薬放出部５００は、後述する散薬包装装置６００の円盤配分部６１０の近傍に配置され、円盤配分部６１０へと散薬を放出する。
【００６２】
第２の散薬放出部５００は、第１の散薬放出部２００と略同一構造であるが、その概略を説明する
【００６３】
図１０は本発明の一実施形態に係る散薬分包機１の第２の散薬放出部５００の側断面図である。第２の散薬放出部５００は、主に散薬一時保管容器３００（または散薬収容容器１００）を載置可能な容器載置台５１０と、容器載置台５１０に載置された容器を振動させて散薬を放出する振動台５２０とから構成される。
【００６４】
振動台５２０は、固定板５２１、固定板５２１の上に、複数のコイルスプリング５２２を介して設置される中間台５２３を有し、中間台５２３の上に複数の板バネ５２４を介して、容器載置台５１０が取り付けられる。
【００６５】
中間台５２３には第１の電磁石５２５が、容器載置台５１０には磁性を有する鉄材５１１が、それぞれ相対して僅かな間隙を保持して配置されている。
【００６６】
第２の電磁石５１３は、容器載置台５１０の上面に着磁面を露出させて設けられ、散薬一時保管容器３００（または散薬収容容器１００）の底面に取付けられた鉄板３０６（１０６）を吸着することで、容器載置台５１０に散薬一時保管容器３００（または散薬収容容器１００）を載置固定することができる。
【００６７】
更に、直動型電磁ソレノイド５１４が容器載置台５１０の下面に取付けられており、散薬一時保管容器３００（または散薬収容容器１００）の遮蔽部３０３（１０３）を開閉する機能を有する。
【００６８】
また、ＲＦＩＤリーダ・ライタ５１５（後に図１３に示す）が容器載置台５１０の上面に設置され、散薬一時保管容器３００（または散薬収容容器１００）の底面のＲＦＩＤタグ３０７（１０７）との間で、情報の読み取り、書き込みができるようになっている。
【００６９】
なお、第１の散薬放出部２００と第２の散薬放出部５００とは、略同一の構成としたが、その各々の機能の相違により、同一の技術思想であるが、細部において異なった構造とすることはあり得る。
【００７０】
＜散薬包装装置６００＞
散薬包装装置６００は、図４に示すように、第２の散薬放出部５００から放出された散薬を円盤６１１上で受け取り、図示しない散薬切り出し部により散薬を所定量ずつ切り出す円盤配分部６１０と、円盤配分部６１０で切り出された散薬を下方へと落下させるホッパ・シュート６２０と、ホッパ・シュート６２０の出口に分包紙を配置し、その分包紙に散薬を封入して包装する散薬包装部６３０とを有する。
【００７１】
更に、散薬包装装置６００は、ホッパ・シュート６２０の上方に散薬容器洗浄部９００を有していてもよい。
【００７２】
図１１は本発明の一実施形態に係る散薬分包機１の散薬包装装置６００の円盤配分部６１０の斜視図である。
【００７３】
円盤配分部６１０は、左右２セットの左側円盤６１１ａと右側円盤６１１ｂとを有し、その各々に対して第２の散薬放出部５００を２台配置することができるため、１つの円盤配分部６１０に、４台の散薬放出部５００ａ、５００ｂ、５００ｃ、５００ｄが配置されることになる。更に、散薬分包機１全体としては、このような円盤配分部６１０が複数セット配置されることもある。
【００７４】
なお、これらの配置台数は例示であり、これより少なくてもよく、あるいは、多くてもよい。適宜、用途目的によって選択すればよい。
【００７５】
散薬切り出し部（図示せず）は円盤６１１上にドーナッツ状に形成された散薬を必要量ずつ切り出すことのできる機構であり、公知の技術によるものとする。
【００７６】
散薬容器洗浄部９００は、散薬収容容器１００または散薬一時保管容器３００を、後述する散薬容器移送装置８００の回転駆動部８０８によって反転させて、内部を種々の方法、例えば、外部からの振動付与（直接打撃あるいは超音波振動）、内部の空気の吸引、局所的な空気の噴射などの方法で洗浄できる機構である。
【００７７】
＜散薬容器棚７００＞
散薬容器棚７００は、図２及び図３に示すように、その前面に、ヒンジ７０１ａ、７０１ｂ、７０１ｃ、７０１ｄで保持されて、観音開きができる右扉７０２ａと左扉７０２ｂとが取り付けられている。
【００７８】
また右扉７０２ａの上部には透明カバー７０３ａが、左扉７０２ｂの上部には透明カバー７０３ｂが取り付けられていて、扉が閉の状態でも、透明カバー７０３ａ、７０３ｂを介してその内側が装置前面側から目視可能となっている。
【００７９】
更に、右扉７０２ａ、左扉７０２ｂの下部には、それぞれタッチ式ディスプレイ７０４ａ、７０４ｂが取り付けられている。
【００８０】
この左右扉７０２を開けると、上下６段の棚になっていて、各段に６乃至７カ所の容器載置台７０５（後に図１２に示す）が設けられており、この容器載置台７０５には、散薬収容容器１００と散薬一時保管容器３００とのいずれもが載置できるようになっている。
【００８１】
このように左右扉７０２を開けた状態で、散薬収容容器１００と散薬一時保管容器３００との合計４２個を全て装置前面から目視可能で、かつ、取り付け・取り外し可能な状態で載置できるようになっている。
【００８２】
それぞれの位置を１番から４２番の番号で示すと、左右扉７０２を開けたときは１番から４２番までの全ての容器が目視可能で、左右扉７０２を閉めたときには１番から２４番までの容器が透明カバー７０３を介して目視可能となる。
【００８３】
また、散薬容器棚７００の左右脇には、２組の第１の散薬放出部２００ａ、２００ｂ、散薬計量部４００ａ、４００ｂが設けられている。
【００８４】
なお、各々の容器載置台７０５の上面（容器を載置する面）には、散薬収容容器１００または散薬一時保管容器３００を載置固定するための電磁石（図示せず）及びそれらの容器に設けられたＲＦＩＤタグ１０７（３０７）との間で情報を読み取ったり、書き込んだりするためのＲＦＩＤリーダ・ライタ（図示せず）が設けられている。これらの電磁石及びＲＦＩＤリーダ・ライタは、第１の散薬放出部２００及び第２の散薬放出部５００において説明したのと、容器との相対位置関係において、等しい位置に設けられている。
【００８５】
また、このＲＦＩＤタグ１０７（３０７）には、例えば、
１）事前に散薬を充填したときに入力される「薬剤名称」「消費期限」「充填量」
２）処方の都度入力される「載置台番号」「処方番号」「払出し量」「現在予想残量」
などと関連つける符号が入力される。すなわちそれらの処方情報そのものであってもよいし、それらの詳細情報は本装置あるいは、上位の処方情報システムのデータベースとして保管され、ＲＦＩＤ側は、このデータベース番号を参照する符号であってもよい。
【００８６】
また、扉の枚数・構造は、２枚の扉で観音開きが好適であるが、それに限定せず、１枚扉であっても、３枚以上の扉であってもよく、開閉も、片開き、スライド式、跳ね上げ式など、どのような方式であってもよく、散薬収容容器１００及び散薬一時保管容器３００の数、大きさなどにより、適宜、定めればよい。また、棚の段数、各段の容器載置台７０５の数についても６段×（６〜７）個に限定せず、適宜定めてよい。
【００８７】
ここで、扉７０２を設けたのは、塵埃の侵入を防止し、また、部外者によるアクセスを規制するものであり、錠剤管理上、鍵（図示せず）を取付ける場合もあるし、機械安全管理上、扉７０２の開閉検知装置（図示せず）を付加して、装置が動作中に扉の開閉があった場合に、この検知信号によって装置を停止する制御を行うようにしてもよい。
【００８８】
更に、透明カバー７０３を設けたのは、全ての散薬収容容器１００及び散薬一時保管容器３００を、装置の前面側に並べて、透明カバー７０３で覆われた部分を除き、係員が一目でそれを目視できるようにするためである。図示しないが、各散薬収容容器に対応した棚の部位にＬＥＤ表示などによって、その容器残量を表示するようにしてもよい。
【００８９】
なお、容器載置台７０５自体も、右扉７０２ａに対応する右側部分と左扉７０２ｂに対応する左側部分がヒンジ（図示せず）により、観音開きできるようにすることが好適である。このようにすると、機械後方の散薬容器移送装置８００に機械前方からアクセスすることができ、メンテナンスが容易となるなどの利点がある。
【００９０】
＜散薬容器移送装置８００＞
散薬容器移送装置８００は、図４及び図５に示すように、機械正面から見て、散薬容器棚７００の背面側に配設されており、互いに直交する３軸上を移動する第１の移動部８０１、第２の移動部８０３、第３の移動部８０５を有している。
【００９１】
ここで、第１の移動部８０１は、電動スライダであることが好ましく、鉛直方向（Ｚ軸方向）に延伸する左右一対の電動シリンダ８０１ａ、８０１ｂで構成され、スライダに設けられたテーブル（可動部材）８０２ａ、８０２ｂが対向している。
【００９２】
第２の移動部８０３は、電動スライダであることが好ましく、第１の移動部８０１の対向するテーブル８０２ａ、８０２ｂの間に設置され、水平で左右の方向（Ｘ軸方向）にスライダが延伸しており、スライダにはテーブル（可動部材）８０４が設けられている。
【００９３】
第３の移動部８０５は、電動スライダであることが好ましく、第２の移動部８０３のスライダに設けられたテーブル８０４に設置され、水平で前後の方向（Ｙ軸方向）にスライダが延伸している。
【００９４】
更に、第３の移動部８０５のスライダに設けられたテーブル(可動部材)８０６に、容器保持部８０７が設けられている。
【００９５】
さらに容器保持部８０７の先には１８０度回転を可能にするための回転駆動部（アクチュエータ）８０８が取り付けられており、更に、回転駆動部８０８の先には、その駆動によって回転させられる回転ヘッド８０９が設けられており、通常の姿勢の容器保持位置の回転ヘッド８０９ａと把持した容器を１８０度反転した位置の回転ヘッド８０９ｂとの２つの位置の間を回転可能としている。
【００９６】
更に、回転ヘッド８０９の先端部には、２本のガイドピン８１０ａ、８１０ｂ（後に図示）を有しており、これらのガイドピン８１０ａ、８１０ｂは散薬収容容器１００（または散薬一時保管容器３００）の装着ガイド穴１０４（３０４）に嵌合するようになっている。
【００９７】
更になお、回転ヘッド８０９の先端部には、電磁石８１１を有しており、これに通電することにより、散薬収容容器１００（または散薬一時保管容器３００）の側面鉄板１０５（３０５）と電磁力により結合できるようになっている。
【００９８】
＜散薬分包制御部１０＞
散薬分包制御部１０は、ハードウエア構成は、すくなくともＣＰＵを備え、必要に応じて、メモリー、通信インターフェース、ディスプレイ、キーボードなどを備えていてもよく、散薬分包機１の全体の制御を司る。
【００９９】
次に、図１５は、本発明の一実施形態の散薬分包システム１０００の機能ブロック図である。これまで説明した散薬分包機１に加えて、少なくとも、散薬など薬剤の処方を管理する処方管理装置２を有し、更に、散薬分包機１との間で散薬収容容器１００などへの散薬の充填を行わせることのできる散薬充填台３、散薬分包機１以外の、手動、半自動あるいは自動の、その他の散薬分包手段４、処方管理装置２で処方される散薬などの薬剤についての在庫などに関する情報を記憶している薬剤在庫データベース５などを有していてもよい。
【０１００】
処方管理装置２は、ハードウエア構成は、ＣＰＵ、メモリー、通信インターフェース、ディスプレイ、キーボードなどを備えており、パソコンあるいはサーバが好適であるが、それに限定されない。また、一部のハードウエアを散薬分包機１の散薬分包制御部と共有したり、あるいは、一部をクラウドコンピューティングのように遠隔に有したりしていてもよい。
【０１０１】
また、処方管理装置２は、病院内の各所、例えば、Ａ診療科６ａ、Ｂ診療科６ｂ、Ｃ病棟６ｃ、Ｄ病棟６ｄなどと、有線または無線の回線、あるいはインターネットなどによって接続されている。
【０１０２】
この処方管理装置２は、各所から要請される薬剤の処方についての情報を管理し、処方指示リスト２０００を作成する。図１６は、本発明の一実施形態の散薬分包機に用いられる処方指示リスト２０００の例を示す図である。
【０１０３】
これによると、処方番号、発生時刻、注文元、患者番号、単一薬剤か複数薬剤の混和か、薬剤名、指定された分包手段、処方全量、分割数が表記され、また、薬剤在庫データベース５からの情報による在庫数量が表記され、更には、劇薬などの付帯情報も表記される。
【０１０４】
なお、表記される情報はこれに限定されず、これよりも多い、または少ない項目を表記してもよい。
【０１０５】
なお、処方指示リスト２０００は、処方管理装置２において作成されたものでなくてもよい。他の調剤関連の装置で作成してもよく、あるいは、散薬分包機１の内部で作成するようにしてもよい。内製の場合には、処方管理装置２は不要で、散薬分包機１のみで完結が可能である。
【０１０６】
＜動作説明＞
以上のごとく構成された散薬分包機１の各部の動作を説明する。
＜散薬収容容器・散薬一時保管容器  搭載動作＞
あらかじめ係員によって、複数の種類の散薬を収容した散薬収容容器１００を散薬容器棚７００の適当な場所の容器載置台７０５に装着しておく。同様に複数の散薬一時保管容器３００も容器載置台７０５の適当な場所に装着しておく。ただし、全ての容器載置台７０５に容器を装着せずに、複数の場所は空きとしておくことが望ましい。
【０１０７】
また、それら装着された容器に関する情報は、事前に別の装置で書き込まれているものとし、これを図示しないＲＦＩＤリーダ・ライタで読み取って、容器載置台７０５の位置と、そこに載置されている容器の散薬情報を紐付けて、これを記憶テーブルに保存しておく。
【０１０８】
＜散薬収容容器の第１の散薬放出部への移送動作＞
ここで、処方指示リストある散薬に関する処方、例えば、散薬ＡＡＡ  ２１ｇを２１分割して個包化する処方が入力されたとする。
【０１０９】
散薬ＡＡＡが収容されている容器の位置を記憶テーブルから検索して、この位置の散薬収容容器１００を散薬容器移送装置８００によって、第１の散薬放出部２００に載置する。
【０１１０】
図１２は本発明の一実施形態に係る散薬分包機１の散薬容器移送装置８００の動作を示す斜視図である。
【０１１１】
図１２の右図に示すように、散薬容器移送装置８００のテーブル８０６をスライドさせて散薬容器棚７００の容器載置台７０５の散薬収容容器１００に近接させ、テーブル８０６の先端に設けられた容器保持部８０７のガイドピン８１０ａ、８１０ｂを散薬収容容器１００のガイド穴１０４ａ、１０４ｂに挿入しながら、電磁石８１１を作動させて散薬収容容器１００の側面鉄板１０５を吸着し、図１２の左図に示すようにしっかりと散薬収容容器１００を保持する。
【０１１２】
次に、散薬収容容器１００は、容器保持部８０７に保持されたまま、散薬容器移送装置８００の第３の移動部８０５、第２の移動部８０３、第１の移動部８０１によって、第１の散薬放出部２００へと移送される。
【０１１３】
図１３は本発明の一実施形態に係る散薬分包機１の散薬容器移送装置８００の別の動作を示す斜視図である。
【０１１４】
図１３（ａ）は容器保持部８０７が、散薬収容容器１００を保持して、第１の散薬放出部２００の容器載置台２１０の真上に接近した状態を示す。このようにして、散薬収容容器１００が移送されてくる。
【０１１５】
図１３（ｂ）は、（ａ）の状態から、Ｚ軸下方向に移動して、散薬収容容器１００が、その底部の鉄板１０６と容器載置台２１０に設けられた第２の電磁石２１３との吸着によって、容器載置台２１０に載置された状態である。このようにして、散薬収容容器１００はしっかりと第１の散薬放出部２００に載置される。
【０１１６】
図１３（ｃ）は、（ｂ）の状態から、電磁石８１１の励磁を止めるとともに、Ｙ軸方向（後方）にテーブル８０６が移動して、散薬容器移送装置８００が散薬収容容器１００から離れた状態を示している。このようにして、散薬収容容器１００の第１の散薬放出部２００ヘの載置が完了する。
【０１１７】
＜散薬一時保管容器の散薬計量部への移送動作＞
次に、空の散薬一時保管容器３００も同様の動作で散薬容器移送装置８００によって散薬計量部４００の散薬一時保管容器置台４０２に載置される。
【０１１８】
先に述べたように、散薬一時保管容器置台４０２は、散薬容器棚７００の容器載置台７０５と同様の構成であり、また、第１の散薬放出部２００の容器載置台２１０とも（振動する点を除けば）略同様の構成であるため、同様の動作が実現できる。
【０１１９】
＜散薬収容容器から散薬一時保管容器への放出及び計量動作＞
次に、第１の散薬放出部２００の第１の電磁石２２５に交流的電気波形を入力すると、鉄材２１１が第１の電磁石２２５に引き寄せられたり、離れたりという振動的挙動を示す。
【０１２０】
結果として容器載置台２１０は板バネ２２４を介して中間台２２３に取り付いているので、容器載置台２１０全体として、図面での上下方向と左右方向が合成された振動を行うことができる。
【０１２１】
これによって、散薬Ａが散薬一時保管容器３００に落下し、その重量変化が台はかり４０３によって計量され、この場合は２１ｇになった時点で振動を停止し、散薬落下を停止する。
【０１２２】
その後、再度台はかり４０３で重量計測を行う。これは、台はかり４０３の重量指示値が完全に静定するまでに数秒を要するためであり、この値が、所定の誤差以内であれば、次の動作に進む。
【０１２３】
なお、第１の散薬放出部２００の散薬放出の方法は、電磁石によるものに限定されず、少量ずつ散薬を放出できるものであれば、圧電素子による振動発生であってもよく、あるいは、振動に限定されず螺旋スクリュー駆動や、それ以外のものであってもよい。
【０１２４】
＜散薬一時保管容器の戻し動作＞
しかしながら、このとき所定の誤差を超えてしまった場合には、当該散薬一時保管容器３００は、散薬容器移送装置８００で、散薬容器棚７００の空いた容器載置台７０５に戻すとともに、そのＲＦＩＤタグ３０７に、計量失敗に関する情報を書き込んでおく。
【０１２５】
なお、散薬一時保管容器３００の戻し動作は、既に説明した動作を逆に行えばよいので説明を省略する。
【０１２６】
これによって、人手によらず、自動で、計量ミスのあった散薬一時保管容器３００を取り除くことができ、機械を停止することなく作業が進行できる。また、計量ミスのあった散薬一時保管容器３００が散薬容器棚７００に戻されるため、操作者が、適切なタイミングで容易に回収または廃棄処理をすることができ、作業の効率化、散薬の廃棄ロスの最小化が可能となる。
【０１２７】
＜散薬一時保管容器の第２の散薬放出部への移送動作＞
正常な場合の次のステップでは、計量済みの散薬一時保管容器３００を、散薬容器移送装置８００を用いて、散薬包装装置６００の円盤配分部６１０の近傍の第２の散薬放出部５００へ移送し、容器載置台５１０に載置する。この移送及び載置方法も既に図１３において説明した動作と同様であるので、図１３の中に対応する番号を括弧書きして説明を省略する。
【０１２８】
＜散薬分配動作＞
この後は、周知の円盤を用いた配分動作をおこなう。まず、「円盤撒き動作」として円盤６１１上にドーナツ状に全円周（３６０度）に渡って散薬を堆積させ、次に「配分動作」として堆積した散薬を図示しない切り出し部で、所定の（この場合は２１分割）で配分し、ホッパ・シュート６２０に放出すると、これが散薬包装部６３０の分包紙に順次封入されていき、１処方２１包の分包状態が完成するものである。
【０１２９】
この円盤撒き動作と配分動作には時間を要する。この動作と並行して、散薬容器移送装置８００は、先に計量した散薬収容容器１００を散薬容器棚７００の元の容器載置台７０５に戻しておき、次の処方の散薬が入った散薬収容容器１００を第１の散薬放出部２００に移送し、載置することができる。
【０１３０】
次に空の散薬一時保管容器３００を、散薬容器移送装置８００によって、当該第１の散薬放出部２００の直下の散薬計量部４００の散薬一時保管容器置台４０２に装着する。
【０１３１】
これで、次の処方の計量が可能となるので、円盤撒き動作や配分動作とは独立して計量動作を行うことができる。
【０１３２】
１処方で２種類以上の散薬を混合する場合もあるので、この場合は左右２台の散薬計量部４００ａ、４００ｂを並行動作させることもできる。
【０１３３】
＜容器洗浄動作＞
図１４は本発明の一実施形態に係る散薬分包機１の散薬容器移送装置８００の更に別の動作を示す斜視図であり、図１４（ａ）が通常の位置、図１４（ｂ）が反転した位置を示す。
【０１３４】
ここで、円盤配分部装置４００で円盤撒き動作が完了して、空になった散薬一時保管容器３７は、図に示すように、散薬容器移送装置８００の回転駆動部８０８によって、通常の姿勢の容器保持位置の回転ヘッド８０９ａの状態から、保持した容器を１８０度反転した位置の回転ヘッド８０９ｂの状態へ上下反転させてから、散薬容器洗浄部９００に装着し、洗浄後に散薬容器棚７００の容器載置台７０５の空いた場所に載置しておき、一連の動作が終わる。
【０１３５】
＜並べ直し動作＞
なお、散薬分包機１において、処方入力のないときには、先に計量に失敗した散薬一時保管容器３００や、残量が不足した散薬収容容器１００を、散薬容器棚７００の左右扉３０２を閉めたときに容器が透明カバー３０３を介して目視可能となる位置に、容器移載装置８００を用いて並べ直しておく。
【０１３６】
こうすることで、機械内の全ての容器が前面から目視可能ではないが、交換必要な容器は、前面から容易に目視可能となる。
【０１３７】
これまで詳述したような構造と作用によって、散薬の調剤作業の自動化において次のような実用的な効果を得ることができるものである。
【０１３８】
第１には、複数の散薬収容容器１００を散薬分包機１の前面側に同一面の散薬容器棚７００上に複数配置して、これをＸ−Ｙ−Ｚ直交型電動スライダ８０１、８０３、８０５で各部に移送できるようにした散薬容器移送装置８００と、１処方分の計量を円盤部６１１への放出の際に行うのではなく、独立した散薬計量部４００で行い、計量した散薬は専用の散薬一時保管容器３００に収容し、正しく計量した散薬のみを円盤部６１１に放出し、計量不良の発生した散薬一時保管容器３００は別に保管できるように制御することで、何らかの要因（外的振動など）で計量失敗となっても、これを別に保管することで機械を停止する必要がなくなった。
【０１３９】
第２には、散薬収容容器１００と散薬一時保管容器３００は、その形状を一致させることで、散薬容器棚７００上の空いている任意の位置の容器載置台７０５に収納できるようにした。これにより、前面に配列した散薬容器棚７００の一部をさえぎる形で、操作用のディスプレイ７０４を配置しても、実際に係員が回収や補充が必要な容器は、散薬容器棚７００のディスプレイ７０４に遮られない場所に配置しなおすように散薬容器移送装置８００を制御できるので、散薬の無駄の発生することがない。更に、複数の容器の回収や補充が、見やすい位置の操作ディスプレイ７０４を確認しながら、同時に前面から行うことのできる、きわめて操作利便性の高い全自動型の散薬分包機１を提供できるものである。
【０１４０】
なお、これまでの説明では、散薬収容容器１００の散薬容器棚７００と第１の散薬放出部２００との相互の移送、散薬一時保管容器３００の、散薬容器棚７００から散薬計量部４００へ、更に、散薬放出部４００から、第２の散薬放出部５００経由、または直接、散薬容器棚７００への移送について記載したが、それ以外のルート、例えば、散薬収容容器１００を第２の散薬放出部５００へ直接移送するルートも可能である。調剤の都合によっては有利なこともある。その他の記載のないルートも利用可能である。
【０１４１】
また、これまでの説明において、散薬収容容器１００及び散薬一時保管容器３００にＲＦＩＤタグを設け、それらを載置または保持する部分には、ＲＦＩＤリーダ・ライタを設けるとしたが、これに限定せず、自動読み取りが容易なように考えられた符号、例えば、バーコードを含む１次元コード、ＡＲマーカー、ＱＲコード（登録商標）を含む２次元コード、カラーコードを含む多次元コードなどのコード符号、ＯＣＲ等で読み取れる文字や読み取りを容易にした文字に係る情報読取可能な符号と、それの読み取り書き込み装置であればどのようなものであってもよい。
【０１４２】
また、これまでの説明で、散薬容器棚７００における容器の配置は、機械前面に平面状に配置されるとしたが、若干の円弧状あるいは多角形状に前に凸あるいは後ろに凸に湾曲した形状であってもよい。操作性や視認性が向上する効果がある場合もある。
【０１４３】
次に、本発明の散薬分包機１及びそれを含む散薬分包システム１０００の運用について説明する。
【０１４４】
図１７から図１９は、本発明の一実施形態の散薬分包機１の運用の例を示すフローチャートである。
【０１４５】
＜散薬計量までのステップ＞
スタートにおいては、予め処方される散薬を保持する散薬収容容器１００及び空の散薬一時保管容器３００が散薬容器棚７００に搭載されているものとする。
【０１４６】
ステップ０１（Ｓ０１）において、散薬容器移送装置８００が、処方指示リスト２０００の先頭にある散薬を収容している散薬収容容器１００を第１の散薬放出部２００へ移送する。
【０１４７】
なお、図示しないが、この段階で、処方指示リスト２０００に先頭の散薬と同一の散薬があった場合は、後述のステップＳ２１を省略し、ステップＳ２２へと進むようにしてもよい。
【０１４８】
次に、ステップＳ０２において、散薬容器移送装置８００が、散薬容器棚７００から空の散薬一時保管容器３００を散薬計量部４００へ移送する。
【０１４９】
なお、ステップＳ０１とステップＳ０２はその順序が逆であってもよい
【０１５０】
次に、ステップＳ０３において、第１の散薬放出部２００が、散薬収容容器１００から散薬一時保管容器３００へ散薬を放出する。
【０１５１】
次に、ステップＳ０４において散薬計量部４００が、放出された散薬を計量する。散薬の計量が正常に終了すれば、散薬計量の完了（ステップＳ０５）となる。
【０１５２】
＜円盤撒きまでのステップ＞
散薬計量が完了すると、並行動作となる。
ステップＳ１１において、散薬容器移送装置８００が、計量済みの散薬を保持する散薬一時保管容器３００を第２の散薬放出部５００へ移送する。
【０１５３】
引き続き、ステップＳ１２において、第２の散薬放出部５００が、散薬一時保管容器３００から散薬を放出（円盤撒き）する。これが完了すれば、円盤撒きの完了ステップ（Ｓ１３）となる。
【０１５４】
一方、ステップＳ１１と並行して、処方指示リスト２０００の参照が行われる。（ステップＳ２１）
【０１５５】
ステップＳ２２では、参照の結果として、同一散薬が連続した処方に存在するか、あるいは連続でなくてもリストの中に存在する場合に、散薬分包制御部１０が、それを続けて処方してもよいかどうかを判断する。
【０１５６】
なお、最初の処方を開始する時点で、同一散薬が処方されていることが分かっている場合は、処方指示リスト２０００の参照を省略してもよい。
【０１５７】
ステップＳ２２で、処方を連続させると決定した場合は、ステップＳ０２を繰り返す。すなわち、散薬収容容器１００は第１の散薬放出部２００に設置された状態で、散薬容器移送装置８００が、散薬容器棚７００から空の散薬一時保管容器３００を散薬計量部４００に移送する。
【０１５８】
ステップ２２で、同一散薬が処方指示リスト２０００に存在しないか、同一散薬の処方を連続させないと決定した場合は、ステップＳ２３に進み、散薬容器移送装置８００が、散薬収容容器１００を散薬容器棚７００へ戻す。  
【０１５９】
＜散薬包装ステップへ＞
散薬の円盤撒きが完了したら、ステップＳ３１に進み、散薬包装装置６００が、散薬を切り出し、包装を開始する。これが完了すれば、散薬包装の完了ステップ（Ｓ３２）となる。
【０１６０】
一方、散薬包装動作と並行して、処方指示リスト２０００の参照が行われる。（ステップＳ４１）
【０１６１】
参照の結果として、ステップＳ４２で、同一散薬が処方指示リスト２０００の中に存在するかどうかを判定する。
【０１６２】
同一散薬が処方指示リスト２０００にない場合には、ステップＳ４３へと進み、散薬容器洗浄部９００が、散薬一時保管容器１００を洗浄する。
【０１６３】
ステップＳ４３の後は、ステップＳ４４に進み、散薬容器移送装置８００が、散薬一時保管容器１００を散薬容器棚７００へ戻す。これが終了すると、一連の動作が完了する。
【０１６４】
散薬分包機１は、分包が完了したら、完了通知を処方管理装置２に対して送り、即時に処方管理装置２は、処方指示リスト２０００から、完了した処方番号を削除し、別に用意された図示しない処方完了リストにその処方番号を移動する。
【０１６５】
一方、ステップＳ４２において、参照の結果として、同一散薬がリストの中に存在する場合は、ステップＳ４５に進み、散薬計量部４００が空いているかどうかをチェックする。
【０１６６】
ここで、散薬計量部４００が空いている場合は、ステップＳ４６へ進み、散薬容器移送装置８００が、使用済みの散薬一時保管容器３００を、洗浄せず、そのまま散薬計量部４００へ移送する。
【０１６７】
引き続き、ステップＳ４７において、散薬容器移送装置８００が、散薬容器棚７００に戻した当該処方散薬の散薬収容容器１００を第１の散薬放出部２００へ移送する。
【０１６８】
その後、ステップＳ０３に戻り、第１の散薬放出部２００が、散薬収容容器１００から散薬一時保管容器３００へ散薬を放出する。
【０１６９】
また、ステップＳ４５において、散薬計量部４００が空いていない場合は、ステップＳ４８において、散薬容器移送装置８００が、空になった散薬一時保管容器３００を、洗浄せずに、散薬容器棚７００に移送する。
【０１７０】
その後、ステップＳ４５に戻り、散薬計量部４００の空きを待ち、空きができたら、ステップＳ４６に進み、当該空になった散薬一時保管容器３００を、散薬容器移送装置８００が、散薬計量部４００と移送し、その後は、ステップＳ４７から、ステップＳ０３へと進む。
【０１７１】
このようにして、ある散薬の分包処理の最後の段階で、同一散薬が処方指示リスト２０００にあることが判明した場合でも、散薬一時保管容器３００の洗浄の手間を省くことができる。
【実施例１】
【０１７２】
次に、本発明の散薬分包システムの一実施形態にかかる実施例を、処方指示リスト２０００に表示されている処方例を用いて説明する。
【０１７３】
まず、処方番号001は、同日8:00にＡ診療科６ａから患者1001に対してＡＡＡなる単薬を処方する注文であり、同時に薬剤在庫データベース５を参照して散薬分包機１に該当散薬の在庫が200gあるとの情報から、処方管理装置２から散薬分包機１にＡＡＡ薬／２１ｇ／２１分割の指示が行われ、自動計量および分包が行われる。
【０１７４】
散薬分包機１は、分包が完了したら、完了通知を処方管理装置２に対して送り、処方管理装置２は、即時に処方指示リスト２０００から当該処方001を削除し、別の図示しない処方完了リストに移動する。
【０１７５】
次に、処方番号002の例は、同日8:10にＢ診療科６ｂから患者番号1002に対してＢＢＢとＣＣＣという２薬を処方する注文である。これは混和と呼ばれる処方であり、同一包内に複数の散薬を所定比率で封入するものである。
【０１７６】
この場合も処方管理装置２が、薬剤在庫データベース５を参照して、散薬分包機１にそれぞれの該当薬剤の在庫があるとの情報から、散薬分包機１に（ＢＢＢ薬／３２ｇ）および（ＣＣＣ薬／１０ｇ）／４２分割の指示が行われ、自動計量および分包が行われる。
【０１７７】
なお、散薬分包機１には２組の散薬計量部４００と、複数の第２の散薬放出部５００を具備するので、複数の散薬を同時に円盤撒き動作できるものである。実施例では、左右の円盤に各２台の第２の散薬放出部５００を有するので、最大４薬の混和を実行することができる。
【０１７８】
次の処方番号003の例は、劇薬登録されているＤＤＤ薬の処方注文である。劇薬として別に管理している薬剤を使用するので、他の散薬分包手段４で分包が行われる。
【０１７９】
他にも、特定の散薬で、散薬分包機１で処理するよりは、他の散薬分包手段４で処理した方が効率的と判断される場合、例えば、１処方の量が大量で、これを処方すると、散薬収容容器１００の残量がなくなってしまう場合などは、他の散薬分包手段４で処理するように指示される。
【０１８０】
次の処方番号004と005の例は、同一散薬ＥＥＥ薬の処方が連続する場合である。この場合は処方番号004と005の処方を一括して、散薬分包機１に指示する。
【０１８１】
このような指示を受けた場合には、「連続処方」の処理として、図１７から図１８に示すように、ステップステップＳ０１からステップＳ０５の後、ステップＳ２２、ステップＳ２３のステップを経由してステップＳ０１へと戻る。
【０１８２】
なお、予め「連続処方」の指示を受けている場合は、ステップＳ２１の処方指示リスト２０００の参照ステップはスキップしてステップＳ２２に進んでもよい。
【０１８３】
すなわち、処方番号004の処理として、ＥＥＥ薬が収容された散薬収容容器１００を第１の散薬放出部２００に移送して、さらに空の散薬一時保管容器３００を散薬計量部４００に移送して、処方番号004に指示される計量を行い、計量済みの散薬一時保管容器３００を第２の散薬放出部５００に移送し、その後の円盤撒き、配分動作ならびに１包化分包を行う。
【０１８４】
次に、処方番号005の処理として、別の空の散薬一時保管容器３００を散薬計量部４００に移送して、同一散薬ＥＥＥ薬の処方番号005に指示される計量を行うものである。
【０１８５】
これによって、ＥＥＥ薬の散薬収容容器１００を散薬容器棚７００に移送返却するという動作を省くことができる。
【０１８６】
次の処方番号006から009では、短時間にＦＦＦ薬の処方が連続している例である。
【０１８７】
例えば、処方の処理が少し進行した段階の8:34に処方指示リスト２０００を参照すると、その時点では処方番号007以降の処方注文はまだ発生していない。それゆえ、この場合は処方番号006について「連続処方」でなく、通常の処方の処理を進める。
【０１８８】
散薬分包機１は、処方番号006の処理を進めて、各種の容器移送の後、散薬計量部３００での６３ｇの計量が完了した時点で、図１８のステップＳ２１に示すように、散薬一時保管容器３００の移送を行わずに、その時点での処方指示リスト２０００を参照する。
【０１８９】
一般の動作であると、処方動作開始から計量完了までには数分を要するので、この間に新たな処方注文が入る場合がある。
【０１９０】
本例のように計量完了時点（8:37以降）に処方指示リスト２０００を参照すると、8:37に処方番号008に示すように同一散薬ＦＦＦ薬の処方注文が発生していることが判明した。
【０１９１】
このような場合には、図１８のステップＳ２２に示すように、先に処方番号004と005で説明した「連続処方」に切り替え、処方番号008の順番を繰り上げて、ステップＳ０１に戻す。
【０１９２】
これによってＦＦＦ薬の散薬収容容器１００を散薬容器棚７００に移送返却するという動作を省くことができる。
【０１９３】
更に、処方番号006の動作が進んで、第２の散薬放出部５００で、散薬一時保管容器３００からの放出が終わる「円盤撒き完了」（ステップＳ１３）以降でも、再度、処方指示リスト２０００を参照する。
【０１９４】
参照時点で、同一散薬の処方注文がない場合は、そのまま分包を継続し、本例のように「円盤撒き」完了以降（8:39以降）に、処方指示リスト２０００を参照して、8:39に処方番号009の同一散薬ＦＦＦ薬の処方注文が発生していることが判明したとする。（ステップＳ４１−Ｓ４２）
【０１９５】
この場合は、通常は、空になった散薬一時保管容器３００を洗浄してから散薬容器棚７００に返却するものを、この洗浄ステップをスキップして、洗浄しないまま空の散薬一時保管容器３００を一旦、散薬容器棚７００に移送・返却し、次に散薬計量部４００が空いた時点で、この散薬一時保管容器３００で処方番号009を実行する。
【０１９６】
このようにすることで、洗浄しなくとも同一散薬であるから、コンタミネーションを発生することなく時間短縮を図りつつ分包が実行できる。
【０１９７】
なお、散薬の分包処理に関し、散薬収容容器１００に収容されている散薬が不足するまたはなくなった場合の対応方法につき、付記しておく。
【０１９８】
散薬分包機１の散薬容器棚７００に所定処方用の散薬が処方必要量在庫していることが、薬剤在庫データベース５で確認できた場合は、散薬分包機１に対して、該当散薬の所定量の分包を指示する。
【０１９９】
散薬分包機１の散薬容器棚７００に所定処方用の散薬が在庫しているが、その残量が処方必要量に満たないことが、薬剤在庫データベース５で確認できた場合は、まず、散薬分包機１に対して、該当散薬の残量全ての計量をすることを指示する。
【０２００】
同時に散薬充填台３に対して、新たに薬剤師が手で十分な量の当該散薬を収容し、この散薬収容容器１００を散薬分包機１に装填するように指示する。
【０２０１】
散薬分包機１が、新たに当該散薬が収容された散薬収容容器１００の装填を検出したら、先に計量して空になった散薬収容容器１００と交換して、残りの分を計量継続し、完了後、分包を行う。
【０２０２】
散薬分包機１の散薬容器棚７００に所定処方用の散薬が在庫していないことが、薬剤在庫データベース５で確認できた場合は、薬剤在庫データベース５には、それぞれ散薬について、散薬分包機１で分包するか、他の散薬分包手段４で分包するかの指定を予め行っておく。
【０２０３】
散薬分包機１で分包すると指示されている場合は、散薬充填台３に対して、新たに薬剤師が手で十分な量の当該散薬を収容し、この散薬収容容器１００を散薬分包機１に装填するように指示する。
【０２０４】
その後に散薬分包機１が、新たに当該散薬が収容された散薬収容容器１００の装填を検出したら、新たな散薬収容容器１００を計量部に移送して、計量および分包を行う。
【０２０５】
また、他の散薬分包手段４で分包すると指示されている場合は、薬剤師が別の容器に所定薬量を計量して、この容器の散薬を他の散薬分包手段４に投入して、分包する。
【０２０６】
なお、これまでに述べたような制御を実現するためには、各容器のＲＦＩＤを利用して、各容器の薬剤種、残量、さらには洗浄の有無などが、実時間で管理されていることが必要である。
【０２０７】
本発明の効果については、これまで述べてきたように、散薬分包機１及び散薬分包システム１０００において、特定の処方を散薬分包機１に指示するタイミングで、処方指示リスト２０００を参照して、同一の散薬があれば、それを連続して行うように順位組み換えをするだけでなく、さらに分包を開始し、「計量完了」と「円盤撒き完了」という時間経過したタイミングでもさらに、制御を切り替えることで、きめ細かく動作時間短縮を行うことができる。
【０２０８】
また、このような制御をプログラム化すると、同一散薬が頻繁に注文された場合などで、先に注文があった処方が後回しになる場合があるので、注文後の時間経過を管理し、所定時間経過しても、分包動作を開始できない処方番号があれば、これを優先して実行するようにしてもよい。
【０２０９】
ここで重ねて、本発明の運用と効果について説明する。
まず、散薬分包機１で、計量完了後に処方指示リストに同一散薬が追加されていた場合には、順番は後ろにあるこの同一散薬の処方の計量を継続する。これによって散薬収容容器１００を散薬容器棚７００に戻し、再び取り出し移送するという時間を節約することができる。
【０２１０】
この制御は、散薬分包機１が動作開始するときの判断ではなく、それから時間が経過した計量完了時点で行うこともできるため、その間に追加された新たな処方番号を参照でき、より広汎に時間節減効果が得られる。
【０２１１】
次に、ここで用いる散薬一時保管容器３００は、使い回しになるので、使用の都度散薬容器洗浄部９００で洗浄した後に、散薬容器棚７００に戻されるように制御されるが、直近の処方に同一散薬の計量があれば、その場合は洗浄しないで、そのまま再使用することで、より効率的になる。
【０２１２】
この洗浄を行うか行わないかの判定も、処方動作開始時だけではなく、散薬一時保管容器３００を散薬容器洗浄部９００に移送する直前に行うこともでき、処方動作開始時から洗浄開始動作までの時間に追加された新たな処方番号を参照することができ、効率的な運用ができる。
【０２１３】
先に説明したように、同一散薬処方が発生していた場合には、直接、散薬計量部４００に洗浄をしない空の散薬一時保管容器３００を移動させる場合もあるし、既に散薬計量部４００が他の散薬の計量を行って占有されている場合は、一旦、散薬容器棚７００に返却し、散薬計量部４００が空いたら、改めて散薬容器棚７００から当該散薬一時保管容器３００を移送すればよく、このようにしても時間短縮、洗浄動作の削減などの効果が十分得られる。
【産業上の利用可能性】
【０２１４】
本発明は、調剤薬局などにおける散薬の調剤処理を効率的に行うことができるものであるから、大いに産業上の利用可能性を有する。
【符号の説明】
【０２１５】
１        散薬分包機
２        処方管理装置
３        散薬充填台
４        その他の散薬分包手段
５        薬剤在庫データベース
６        診療科または病棟
１０      散薬分包制御部
１００    散薬収容容器
２００    第１の散薬放出部
３００    散薬一時保管容器
４００    散薬計量部
５００    第２の散薬放出部
６００    散薬包装装置
７００    散薬容器棚
８００    散薬容器移送装置
９００    散薬容器洗浄部
１０００  散薬分包システム
２０００  処方指示リスト
【図１】
2020028513.tif 000003
【図２】
2020028513.tif 000004
【図３】
2020028513.tif 000005
【図４】
2020028513.tif 000006
【図５】
2020028513.tif 000007
【図６】
2020028513.tif 000008
【図７】
2020028513.tif 000009
【図８】
2020028513.tif 000010
【図９】
2020028513.tif 000011
【図１０】
2020028513.tif 000012
【図１１】
2020028513.tif 000013
【図１２】
2020028513.tif 000014
【図１３】
2020028513.tif 000015
【図１４】
2020028513.tif 000016
【図１５】
2020028513.tif 000017
【図１６】
2020028513.tif 000018
【図１７】
2020028513.tif 000019
【図１８】
2020028513.tif 000020
【図１９】
2020028513.tif 000021